(57)【特許請求の範囲】
【請求項１】
医療用保管具に形成したフック部を保持して、該医療用保管具を医療機器の棒状部に取り付けるための医療用保管具取付用アタッチメントであって、前記棒状部にその長さ方向に移動自在に係合可能な保持溝部を有するアタッチメント本体と、該保持溝部を前記棒状部に係合させた状態で前記アタッチメント本体を前記棒状部に固定可能な固定具とを備え、前記アタッチメント本体に、前記医療用保管具の前記フック部を保持可能な係止部が形成されており、前記係止部は、形状の異なる複数種類の前記フック部を保持可能であり、
前記係止部は、一対の線状部材からなる前記フック部を挿入可能な一対の軸穴部と、前記一対の軸穴部の間に位置し、板状部材からなる前記フック部を挿入可能なスロット部とが連通状態に形成されていることを特徴とする医療用保管具取付用アタッチメント。
【請求項２】
前記スロット部は、前記軸穴部よりも細幅に形成されていることを特徴とする請求項１記載の医療用保管具取付用アタッチメント。
【請求項３】
前記係止部は、前記アタッチメント本体に前記保持溝部の長さ方向と直交する方向に突出形成されたブラケット部を有し、
前記一対の軸穴部及び前記スロット部は、前記ブラケット部に形成され、前記フック部が挿入されることにより前記医療用保管具を前記ブラケット部に吊り下げ状態に保持することを特徴とする請求項１又は２記載の医療用保管具取付用アタッチメント。
【請求項４】
床上を走行可能な支持脚部と、該支持脚部に垂直に立設された棒状部とを有し、前記棒状部に、請求項１から３のいずれか一項記載の医療用保管具取付用アタッチメントが設けられていることを特徴とするガートル台。
【発明の詳細な説明】
【技術分野】
【０００１】
本発明は、医療器具や医療用品を保管する医療用保管具を、ガートル台等の医療機器に設けられている支柱などの棒状部に固定するためのアタッチメント、及び当該アタッチメントを用いて医療用保管具を保持したガートル台に関する。
【背景技術】
【０００２】
医療施設において、医師等が使用するマスク、手袋、医療はさみ、カテーテル、あるいは患者の保護のために使用される各種保護具等の医療器具や医療用品を患者等の付近に保管しておく必要が生じる場合がある。
特許文献１には医療品を収納するための整理棚が開示されている。
また、特許文献２では、病室のベッドの付近の壁に支柱が設けられ、この支柱に物品収納什器が設けられている。この物品収納什器には、複数の棚板と、収納かごとが設けられている。
【０００３】
この種の整理棚や収納什器は、診察室や医務室、病室等に据え置き固定されるものであり、医療施設を新設する場合は、整理棚や収納什器の設置スペースを考慮して室内の設計をすることができるが、既設の医療施設には、医療器械やベッド、机等、多くの医療設備が既に設置されているため、整理棚や収納什器を新たに設置することは難しい。
【０００４】
一方、特許文献３には、医療廃棄物を収容して、回収、運搬するために使用される回収容器が取り付けられ、その回収容器の蓋体を開閉可能に支持するための回収容器用スタンドが開示されている。回収容器はポリプロピレン等により有底箱状に形成され、スタンドは、主として鋼製で、回収容器を載せる載置台、支柱、回収容器の蓋体を保持する支持アーム等を備える構成とされている。
【先行技術文献】
【特許文献】
【０００５】
【特許文献１】意匠登録第１１４３２６３号公報
【特許文献２】特開２００７‐３７７７３号公報
【特許文献３】特開２００１‐４８３０３号公報
【発明の概要】
【発明が解決しようとする課題】
【０００６】
前述したように、特許文献１及び２記載の整理棚や収納什器は、据え置き固定型であり、既存の診察室等に設置するのは難しい。また、特許文献３に記載の回収容器用スタンドは、据え置き固定型ではないため、必要に応じて移動することが可能と考えられるが、これを持ち運ぶには労力を要す。
特に、医療器具や医療用品を患者等の付近で一時的に保管する場合に、簡易に保管できる保管具が求められる。
【０００７】
本発明は、このような事情に鑑みてなされたもので、医療器具や医療用品を患者等の付近に簡易に保管できるようにすることを目的とする。
【課題を解決するための手段】
【０００８】
本発明者は、ガートル台や保育器等の医療機器に設けられている支柱などの棒状部に、医療器具や医療用品を保管するための保管具を取り付けることができれば、医療器具等をガートル台や保育器等の医療機器の付近に小スペースで保管できるとの考えの下、以下の解決手段を採用した。
【０００９】
すなわち、本発明は、医療用保管具に形成したフック部を保持して、該医療用保管具を医療機器の棒状部に取り付けるための医療用保管具取付用アタッチメントであって、前記棒状部にその長さ方向に移動自在に係合可能な保持溝部を有するアタッチメント本体と、該保持溝部を前記棒状部に係合させた状態で前記アタッチメント本体を前記棒状部に固定可能な固定具とを備え、前記アタッチメント本体に、前記医療用保管具の前記フック部を保持可能な係止部が形成されており、前記係止部は、形状の異なる複数種類の前記フック部を保持可能であり、前記係止部は、一対の線状部材からなる前記フック部を挿入可能な一対の軸穴部と、前記一対の軸穴部の間に位置し、板状部材からなる前記フック部を挿入可能なスロット部とが連通状態に形成されている。
【００１０】
このアタッチメントは、アタッチメント本体の保持溝部を医療機器の棒状部に係合させて固定具で固定することにより、棒状部に取り付けることができ、その場合に、保持溝部により棒状部の長さ方向に沿って移動自在であるので、棒状部の適宜の位置に固定することができる。そして、そのアタッチメントの係止部に医療用保管具のフック部を保持させることにより、医療機器の棒状部に医療用保管具を保持した状態とすることができ、医療用保管具を医療機器の付近に小スペースで保管することができる。
また、線状部材によりかご状に形成した医療用保管具のフック部、及び樹脂等により形成した医療用保管具のフック部のいずれをも保持することができる。
【００１１】
本発明の医療用保管具取付用アタッチメントにおいて、前記スロット部は、前記軸穴部よりも細幅に形成されている。
【００１２】
本発明の医療用保管具取付用アタッチメントにおいて、前記係止部は、前記アタッチメント本体に前記保持溝部の側方に突出形成されたブラケット部と、該ブラケット部に形成され、前記フック部が挿入されることにより前記医療用保管具を前記ブラケット部に吊り下げ状態に保持可能な穴部とを有する。
【００１３】
穴部に医療法保管具のフック部を挿入することにより、医療機器の棒状部の側方に、医療用保管具を吊り下げ状態に保持することができ、棒状部に安定して支持させることができる。
この場合、穴部は、ブラケット部を貫通していてもよいが、フック部を挿入して医療用保管具を保持できれば貫通していなくてもよい。また、穴部の向きは、医療用保管具を吊り下げ保持するためには、上下方向とするのが好ましい。
【００１４】
本発明のガートル台は、床上を走行可能な支持脚部と、該支持脚部に垂直に立設された棒状部とを有し、前記棒状部に、前記医療用保管具取付用アタッチメントが設けられている。
ガートル台にアタッチメントを取り付けておくことにより、医療用保管具をガートル台とともに保管して、移動自在とすることができる。
【発明の効果】
【００１５】
本発明によれば、患者に必要な薬液袋等を支持するガートル台等の医療機器の棒状部にアタッチメントを取り付けて、このアタッチメントを介して医療用保管具を医療機器に保持することができるので、医療器具や医療用品を患者等の付近に簡易に保管することができ、保管スペースも少なくて済む。
【図面の簡単な説明】
【００１６】
【図１】本発明の実施形態のアタッチメントを介してガートル台に医療用保管具を取り付けた状態を示す斜視図である。
【図２】図１のアタッチメント部分の取付構造を示す要部の拡大図である。
【図３】実施形態のアタッチメントを拡大して示す分解斜視図である。
【図４】図３のアタッチメントを組み合わせた状態の上面図である。
【図５】図１で用いられている医療用保管具を示す斜視図である。
【図６】図５の医療用保管具の側面図である。
【図７】本発明に適用可能な医療用保管具の第１変形例を示す斜視図である。
【図８】本発明に適用可能な医療用保管具の第２変形例を示す斜視図である。
【図９】本発明に適用可能な医療用保管具の第３変形例を示す斜視図である。
【図１０】図９の医療用保管具の底面側からの斜視図である。
【発明を実施するための形態】
【００１７】
以下、本発明の実施形態について、図面を参照しながら説明する。
この実施形態では、図１に示すように、ガートル台（本発明の医療機器）１の支柱となる棒状部２に、アタッチメント１１が固定され、そのアタッチメント１１に医療用保管具２１が取り付けられている。
【００１８】
ガートル台１は、金属製又は樹脂製の支持脚部３と、その支持脚部３から立設された棒状部２とを備えている。支持脚部３は、複数本の脚部３ａが平面視放射状に延びて周方向に等間隔に配置された構成とされている。これら脚部３ａは、少なくとも３本以上、図示例では５本設けられている。そして、これら脚部３ａの先端部の下面にキャスタ４がそれぞれ取り付けられ、このキャスタ４によってガートル台１全体が移動可能になっている。また、各脚部３ａの放射の中心部に棒状部２が垂直に立設されている。
図１において、符号５は握り部であり、この握り部５を掴んでガートル台１を移動させる。符号６は薬液袋等を支持するホルダである。また、符号７は、必要に応じて棒状部２の最下部に設けられる錘であり、棒状部２を挿通して支持脚部３の上に載置される。
【００１９】
アタッチメント１１は、図３及び図４に示すように、金属又は樹脂等からなるアタッチメント本体１２と、このアタッチメント本体１２をガートル台１の棒状部２に固定するためのねじ等の固定具１３とから構成される。
【００２０】
アタッチメント本体１２は、棒状部２を嵌合可能な保持溝部１５を形成するクランプ部１６と、このクランプ部１６の上下端に連設された一対のブラケット部１７とを有している。クランプ部１６は、一組の板状部１６Ａ，１６Ｂが棒状部２の直径より若干大きい間隔をあけて対向配置され、これら板状部１６Ａ，１６Ｂの間に棒状部２を側方から嵌合可能な保持溝部１５が上下方向に沿って形成されている。
【００２１】
この場合、両板状部１６Ａ，１６Ｂのうち、一方の板状部１６Ａは平坦に形成されているのに対して、他方の板状部１６Ｂは、一方の板状部１６Ａとの対向面が凹面に形成され、その凹面と一方の板状部１６Ａの平坦面との間で保持溝部１５が形成されている。そして、平坦に形成された板状部１６Ａに、固定具１３のねじ部１３ａを螺合するねじ孔１８が貫通形成されており、図４の鎖線で示すように両板状部１６Ａ，１６Ｂ間に配置した棒状部２を固定具１３で固定する構成である。固定具１３は、ねじ部１３ａとつまみ部１３ｂとを一体に形成した構成である。
【００２２】
また、各ブラケット部１７は、それぞれ帯板状に形成され、クランプ部１６の上下端に、保持溝部１５の長さ方向（上下方向）と直交する方向でかつ両板状部１６Ａ，１６Ｂの突出方向とは反対方向に突出し、両板状部１６Ａ，１６Ｂの対向方向と平行に延びて設けられている。このため、両ブラケット部１７は、相互に平行にかつ上下に対向して配置されている。そして、各ブラケット部１７に、その長さ方向に沿う長穴状の穴部１９が上下貫通状態に形成されている。これら穴部１９は、両端部に横断面円形の軸穴部１９ａが形成され、これら軸穴部１９ａの間を、この軸穴部１９ａよりも細幅のスロット部１９ｂにより連結した形状とされている。また、両ブラケット部１７の穴部１９は、各ブラケット部１７の基端からの距離が同じに設定されており、上下に揃えられている。
【００２３】
一方、医療用保管具２１は、この実施形態では、図５及び図６に示すように、カテーテルＣなどのチューブ類を保管するためのもので、底部２２と、底部２２の周縁部から立設する外周部２３と、外周部２３の上端に設けられたフック部２４とを備えており、底部２２の面積に対して外周部２３の高さが大きい、上下に長いかご状に形成されている。この場合、底部２２は金属板により形成されるが、外周部２３の大部分及びフック部２４は横断面円形の金属棒等の線状部材により形成される。
【００２４】
具体的には、底部２２は、正方形の底板２２ａと、その各辺から立ち上がる４枚の側板２２ｂとにより形成され、これら側板２２ｂのうちの対向する２枚の側板の内側面に、２本の線状部材の下端部が固定されることにより、垂直に立ち上がる側部部材２５が形成され、その側部部材２５の高さ方向の途中の複数箇所及び上端の内側に、同じく線状部材を底板２２ａよりわずかに小さい正方形のリング枠状に形成してなるリング枠部材２６が固定されている。図示例では３個のリング枠部材２６が固定されている。
この実施形態では、底部２２の側板２２ｂ、側部部材２５及びリング枠部材２６とにより、底部２２の周縁部から立設する外周部２３が構成される。
【００２５】
また、側部部材２５を構成している垂直な線状部材のうち、一つの側板２２ｂに固定されている２本の線状部材の上端部は、折り返すように屈曲され、フック部２４を構成している。このフック部２４は、２本の線状部材からなり、その先端部が上下方向に沿って形成される。また、このフック部２４を構成している線状部材は、前述したブラケット部１７の穴部１９における二つの軸穴部１９ａ内に挿入できる直径に形成され、両軸穴部１９ａと同じ間隔に配置されている。
なお、底部２２の四隅部、つまり各側板２２ｂの間には隙間ｇが形成されており、底板２２ａ上に水が垂れた際などの水切りが容易なように形成されている。また、隙間ｇを形成することにより、底部２２の四隅部に側板２２ｂ同士が接合する角部が作られないため、底部２２の清拭作業が容易となる。
【００２６】
ガートル台１に医療用保管具２１を支持する場合は、図１及び図２に示すように、ガートル台１の棒状部２にアタッチメント１１を取り付けおき、このアタッチメント１１に医療用保管具２１を支持する。
アタッチメント１１は、アタッチメント本体１２のクランプ部１６の両板状部１６Ａ，１６Ｂ間の保持溝部１５に、側方からガートル台１の棒状部２を挿入状態に配置し、板状部１６Ａに設けられている固定具１３をねじ込むことにより、棒状部２の高さ方向の途中位置に固定される。この固定状態において、アタッチメント１１の両ブラケット部１７は、ガートル台１の棒状部２から側方に突出した状態に配置され、両ブラケット１７に形成されている穴部１９は、上下二つの穴部１９とも、棒状部２の側方から同じ距離の位置に配置され、上下方向に揃えられた状態となる。
【００２７】
そして、この穴部１９に、上方から医療用保管具２１のフック部２４の先端部を挿入することにより、折り返し状態のフック部２４がアタッチメント１１のブラケット部１７に係止され、医療用保管具２１がアタッチメント１１から吊り下げ状態に保持される。
この場合、フック部２４が２本の線状部材により形成されており、ブラケット部１７の穴部１９における両端の軸穴部１９ａにフック部２４の線状部材がそれぞれ挿入される。また、このブラケット部１７は上下二箇所に配置されており、主として、上方のブラケット部１７で医療用保管具２１を吊り下げるとともに、そのブラケット部１７の穴部１９に挿入されたフック部２４の先端部を下方のブラケット部１７の穴部１９に挿入することにより、医療用保管具２１の揺れを防止し、医療用保管具２１を垂直姿勢で安定して保持することができる。
すなわち、この実施形態では、この穴部１９を有するブラケット部１７により係止部２０が形成される。
【００２８】
このようにしてガートル台１の棒状部２にアタッチメント１１を介して医療用保管具２１を支持することにより、医療用保管具２１は棒状部２の側方に保持され、図示例の場合は、長尺なカテーテルＣなどのチューブ類を上下方向に沿って収容し保管することができる。そして、キャスタ４を有するガートル台１であるので、患者や医師等により必要な場所に移動することが可能であり、また、使用しない場合にも、病室等にガートル台１を設置できる大きさのスペースがあれば、ガートル台１とともに医療機具等を保管することができる。
【００２９】
なお、図５及び図６に示す医療用保管具２１においては、底部２２は金属板により形成されているが、底板２２ａの周縁部に立設される４枚の側板２２ｂの間には、隙間ｇが形成されているので、底板２２ａの上に水等が垂れた場合でも、隙間ｇから排出することが可能で水切りが良く、清拭作業が容易である。
【００３０】
図７〜図１０は、本発明のアタッチメントを用いてガートル台に保持可能な医療用保管具の他の複数の例を示している。
図７に示す医療用保管具３１は、消毒液容器３２を保管するためのもので、図５の医療用保管具２１と同様、底部３３、外周部３４、フック部３５を有しているが、底部３３も線状部材により形成され、全体としてかご状に形成されている。また、外周部３４は図５の医療用保管具２１よりも低い高さに設定され、鎖線で示すように、消毒液容器３２の上半分を医療用保管具３１から露出させた状態に保持できるようになっている。
【００３１】
図８に示す医療用保管具４１は、手袋、マスク、ティッシュ等が詰められたケース４２を保管するためのもので、線状部材により、底部４３と外周部４４と上側押さえ部４５とフック部４６とを形成したかご状の構成である。この場合、外周部４４には、四方のうちの一方の側部を開放状態とする開放部４７を有しており、ケース４２を側方の開放部４７から出し入れできるようにしている。そして、図８の鎖線で示すようにケース４２を保持して、患者等が使用することができる。
【００３２】
図９及び図１０に示す医療用保管具５１は、ガーゼ、シリンジ、アンプル等の小物類を保管するためのものであり、合成樹脂により底部５２、外周部５３、フック部５４を一体に形成したトレー状に形成されている。この医療用保管具５１においては、フック部５４も合成樹脂により板状に形成される。前述したように、アタッチメント１１に形成されているブラケット部１７の穴部１９は、両端の軸穴部１９ａの間が細幅のスロット部１９ｂにより形成されており、図９及び図１０の医療用保管具５１のフック部５４は、その穴部１９の両軸穴部１９ａの間に挿入できる寸法、形状に形成される。
【００３３】
以上のように、図５〜図１０に示す各医療用保管具のように、フック部をアタッチメント１１の穴部１９に挿入できる寸法、形状に形成しておくことにより、各種の医療用保管具を保持させることが可能である。つまり、アタッチメント１１には、軸穴部１９ａとスロット部１９ｂを連通して一体的に形成した穴部１９が形成されているため、アタッチメント１１は、線状部材のフック部２４，３５，４６及び板状部材のフック部５４の双方を保持することができる。
【００３４】
なお、本発明は上記実施形態に限定されるものではなく、本発明の趣旨を逸脱しない範囲において種々の変更を加えることが可能である。
例えば、上記実施形態では、係止部２０として、穴部１９を有するブラケット部１７により構成したが、貫通する穴部でなくとも、凹部を有するブラケット部として、その凹部にフック部の先端を係止できるようにすればよい。
また、医療用保管具のフック部として、線状部材のフック部の２本の線状部材の外側面間の寸法の範囲内に、板状部材のフック部の幅寸法を設定して、これらフック部を挿入するアタッチメントの穴部１９として、両端部の軸穴部１９ａの間をスロット部１９ｂにより連結した形状としたが、板状部材のフック部の幅寸法を線状部材のフック部の両線状部材の外側面間の寸法より大きくし、アタッチメントの穴部としては、スロット部が軸穴部の両側方に突出する形状に形成してもよい。  線状部材は横断面円形以外にも横断面角形等の多角形状であってもよく、その横断面形状に合わせて軸穴部の横断面も円形の他に、角形等の多角形状としてもよい。
医療用保管具は、線状部材を組み合わせてかご状に、又は樹脂等により板状部材を組み合わせて箱状に構成したが、樹脂等による板状の部品と線状部材によるかご状の部品とを組み合わせて構成してもよい。
【００３５】
また、ガートル台の支柱となる棒状部にアタッチメントを取り付けた例を示したが、ガートル台以外にも、例えば、保育器の側部に薬液等を保持する棒状部が立設されている場合に、この保育器の棒状部にアタッチメントを取り付けて用いることも可能である。また、医療用ベッドの手摺などの棒状部にアタッチメントを取り付けることも可能である。手摺の場合は、垂直な棒状部と水平な棒状部とが存在するが、水平な棒状部にアタッチメントを取り付ける場合、図３に示すブラケット１７の設置の向きを９０°変更し、両ブラケット１７の対向方向が、板状部材１６Ａ，１６Ｂの対向方向と平行になるように配置するとよい。
本発明では、このようなガートル台や保育器、医療用ベッド等を医療機器と称し、アタッチメントを取り付け可能な棒状部を有する医療機器全般に本発明を適用することができ、その棒状部の向きも、水平方向、垂直方向、いずれの方向の場合にも適用することができる。
【符号の説明】
【００３６】
１…ガートル台（医療機器）
２…棒状部
３…支持脚部
５…握り部
６…ホルダ
７…錘
１１…アタッチメント
１２…アタッチメント本体
１３…固定具
１３ａ…ねじ部
１３ｂ…つまみ部
１５…保持溝部
１６…クランプ部
１６Ａ，１６Ｂ…板状部
１７…ブラケット部
１８…ねじ孔
１９…穴部
１９ａ…軸穴部
１９ｂ…スロット部
２０…係止部
２１…医療用保管具
２２…底部
２３…外周部
２４…フック部
２５…側部部材
２６…リング枠部材
３１…医療用保管具
３２…消毒液容器
３３…底部
３４…外周部
３５…フック部
４１…医療用保管具
４２…ケース
４３…底部
４４…外周部
４５…上側押さえ部
４６…フック部
４７…開放部
５１…医療用保管具
５２…底部
５３…外周部
５４…フック部
【図１】
0006375267.tif 000002
【図２】
0006375267.tif 000003
【図３】
0006375267.tif 000004
【図４】
0006375267.tif 000005
【図５】
0006375267.tif 000006
【図６】
0006375267.tif 000007
【図７】
0006375267.tif 000008
【図８】
0006375267.tif 000009
【図９】
0006375267.tif 000010
【図１０】
0006375267.tif 000011